(57)【要約】【課題】  毛髪の損傷を押え、その仕上がりのウエーブが長持ちし、かつ、安全性の高い施術が行えるパーマネントウエーブ処理方法である。【解決手段】  毛髪をロッドに巻き付ける第１の工程と、該巻き付けた毛髪に対して還元剤を含むパーマネント第１剤を塗布して毛髪を膨潤軟化させる第２の工程と、膨潤軟化された毛髪に付着したパーマネント第１剤を洗い流し、または、パーマネント第１剤を中和する酸性の中間処理剤にてパーマネント第１剤の作用を止め、もしくは、前記両方を行う第３の工程と、第３の工程の後における湿潤状態の毛髪を加温しながら一定時間放置する第４の工程と、第４の工程の後に酸化剤を含むパーマネント第２剤を塗布してジスルフィド結合を再結合させる第５の工程とからなるパーマネントウエーブ処理方法である。【選択図】      図２２
2008093050.tif 000002
【特許請求の範囲】
【請求項１】
毛髪をロッドに巻き付ける第１の工程と、
該巻き付けた毛髪に対して還元剤を含むパーマネント第１剤を塗布して毛髪を膨潤軟化させる第２の工程と、
膨潤軟化された毛髪に付着したパーマネント第１剤を洗い流し、または、パーマネント第１剤を中和する酸性の中間処理剤にてパーマネント第１剤の作用を止め、もしくは、前記両方を行う第３の工程と、
第３の工程の後における湿潤状態の毛髪を加温しながら一定時間放置する第４の工程と、
第４の工程の後に酸化剤を含むパーマネント第２剤を塗布してジスルフィド結合する第５の工程と、
からなるパーマネントウエーブ処理方法。
【請求項２】
前記第３の工程の後における湿潤状態の毛髪を加温する温度が６０℃以下であることを特徴とする請求項１記載のパーマネントウエーブ処理方法。
【請求項３】
前記第３の工程の後における湿潤状態の毛髪を加温する手段が温風、蒸気またはミストを用いて加温することを特徴とする請求項１記載のパーマネントウエーブ処理方法。
【請求項４】
前記第３の工程の後における湿潤状態の毛髪が巻かれているロッド内を低負圧状態として温風、蒸気またはミストを吸引するようにしたことを特徴とする請求項１記載のパーマネントウエーブ処理方法。
【請求項５】
前記第４の工程の後に、毛髪にダメージを与えない温度の温風によって乾燥させ、乾燥した毛髪に対して酸化剤を含むパーマネント第２剤を塗布して、ジスルフィド結合を再接合することで乾燥状態での形状を記憶させる第６の工程を追加したことを特徴とする請求項１記載のパーマネントウエーブ処理方法。
【請求項６】
前記第６の温風によって乾燥する工程が、ロッドに巻かれている毛髪に温風を吹き付けると共に、ロッド内を負圧状態として温風を吸引する工程であることを特徴とする請求項４記載のパーマネントウエーブ処理方法。
【発明の詳細な説明】
【技術分野】
【０００１】
本発明は、毛髪のパーマネントウエーブ処理装置であって、ウエーブ効率が良く（よりロッド径に近い）、毛髪の損傷を抑え、かつ、その仕上がりのウエーブが長持ちし、かつ、安全性の高い施術が行えるパーマネントウエーブ処理方法に関する。
【背景技術】
【０００２】
従来におけるコールドパーマと呼ばれる毛髪の処理方法としては、被施術者の毛髪に還元剤を含むパーマネント第１剤を塗布して軽く湿らせた状態においてロッドに巻き付け、この状態において前記第１剤をさらに塗布して室温環境下で所定時間放置する。そして、この状態において放置することで毛髪のタンパクのケラチンのジスルフィド結合を開鎖してメルカプト基を生成させ毛髪は膨潤軟化される。
【０００３】
前記所定時間の後に施術者がテストカールを行い膨潤軟化の程度、すなわち、毛髪が軟らかくなって可塑性が出たかを判断し、膨潤軟化したと判断すると毛髪表面に付着した還元剤を洗い流してタオル等によって毛髪に付着している水分を拭き取る。そして、水分を拭き取った毛髪に対して酸化剤を含むパーマネント第２剤を塗布して室温環境下において所定時間放置してメルカプト基を酸化してジスルフィド結合を再結合しウエーブを形成する。さらに、前記所定時間が経過したならロッドを外して水洗いし、その後にドライヤーで乾燥させてパーマネントウエーブ処理が終了する。
【０００４】
しかし、このパーマネントウエーブ処理方法にあっては、図２２（ａ）の濡れた状態の毛束、（ｂ）の乾燥した状態、（ｃ）毛束の向きを変えた状態に写真における結果Ａからも判るように、ウェット状態では形状を保っているが、ウエーブが必要な乾燥状態ではウエーブが大きくなる（ダレる）という欠点があり、また、そのウエーブを保持できる期間も十分に満足いくものではなかった。
【０００５】
そこで、本出願人は前記した問題点を解決するために、特開２００６−２１２４１７に開示されているパーマネントウエーブ処理方法を発明した。この発明は、第１剤である還元剤が塗布され軟化湿潤状態となった毛髪を水洗いした後に、毛髪をロッドに巻き付け、該ロッドに巻き付けられている毛髪全体を加温雰囲気にすると共に前記ロッド内を負圧状態として吸引して乾燥し、その後、加温を停止しすると共に外気を取り込んで温まっている毛髪を冷却するという処理方法であった。その結果は、図２２における結果Ｂの写真からも判るように、従来のコールドパーマ処理（結果Ａ）よりも乾燥時にダレが小さくなっており改善されているが、十分な処理方法とは言えないものであった。
【０００６】
そして、本発明者等は前記した公開公報のパーマ処理工程において、温度と吸引による毛髪を乾燥させる処理の前に、毛髪をタオルで包み、望みの髪形で室温環境下において一定時間放置する工程を加えることで、毛髪内のメルカプタン基とジスルフィド結合の交換が進み、分子の再配列が起こり二次結合が生じて、ウエーブ効率の良い（よりロッド径に近い）ウエーブ形成ができるということを知って実験を行った。その結果が図２２における結果Ｃの写真である。この写真からも判るように、前記した公開公報の処理方法（結果Ｂ）よりもウエーブ効率は良くなっている。
【発明の開示】
【発明が解決しようとする課題】
【０００７】
しかし、本発明者等は、この結果には満足せず、さらに、試行錯誤を行った結果、図２２における結果Ｄであり、ウエーブ効率の良く（よりロッド径に近い）初期のウエーブが長期間にわたって保持されるパーマネントウエーブ処理方法を開発したものである。
【０００８】
本発明の目的とするところは、パーマネント第１剤処理の後に中間水洗を実施し、ジスルフィド結合の開鎖の進行を止め、分子の再配列（高分子移動）に必要な、温度、湿度、時間を毛髪の状態に合わせて与え、その後、毛髪の乾燥状態に移行し、常温常湿下でパーマネント第２剤処理し、ジスルフィド結合を再結合させウエーブを形成するようにしことにより、乾燥時のダレが非常に小さく、初期のウエーブが長期間にわたって保持され、かつ、ウエーブ効率の良いパーマネントウエーブ処理装置を提供せんとするにある。
【課題を解決するための手段】
【０００９】
本発明のパーマネントウエーブ処理方法は、前記した目的を達成せんとするもので、請求項１の手段は、毛髪をロッドに巻き付ける第１の工程と、該巻き付けた毛髪に対して還元剤を含むパーマネント第１剤を塗布して毛髪を膨潤軟化させる第２の工程と、膨潤軟化された毛髪に付着したパーマネント第１剤を洗い流し、または、パーマネント第１剤を中和する酸性の中間処理剤にてパーマネント第１剤の作用を止め、もしくは、前記両方を行う第３の工程と、第３の工程の後における湿潤状態の毛髪を加温しながら一定時間放置する第４の工程と、第４の工程の後に酸化剤を含むパーマネント第２剤を塗布してジスルフィド結合を再結合させる第５の工程とからなる。
【００１０】
請求項２の手段は、前記した請求項１において、前記第３の工程の後における湿潤状態の毛髪を加温する温度が６０℃以下であることを特徴とする。
【００１１】
請求項３の手段は、前記した請求項１において、前記第３の工程の後における湿潤状態の毛髪を加温する手段が温風、蒸気またはミストを用いて加温することを特徴とする。
【００１２】
請求項４の手段は、前記した請求項１において、前記第３の工程の後における湿潤状態の毛髪が巻かれているロッド内を低負圧状態として温風、蒸気またはミストを吸引するようにしたことを特徴とする。
【００１３】
請求項５の手段は、前記した請求項１において、前記第４の工程の後に、毛髪にダメージを与えない温度の温風によって乾燥させ、乾燥した毛髪に対して酸化剤を含むパーマネント第２剤を塗布して、ジスルフィド結合を再接合することで乾燥状態での形状を記憶させる第６の工程を追加したことを特徴とする。
【００１４】
請求項６の手段は、前記した請求項５において、前記第６の温風によって乾燥する工程が、ロッドに巻かれている毛髪に温風を吹き付けると共に、ロッド内を高負圧状態として温風を吸引する工程であることを特徴とする。
【発明の効果】
【００１５】
本発明は前記したように、毛髪をロッドに巻き付け、該巻き付けた毛髪に対して還元剤を含むパーマネント第１剤を塗布して毛髪を膨潤軟化させ、その後、膨潤軟化された毛髪に付着したパーマネント第１剤を洗い流し、または、パーマネント第１剤を中和する酸性の中間処理剤にてパーマネント第１剤の作用を止め、もしくは、前記両方を行い、湿潤状態の毛髪を加温しながら一定時間放置し、酸化剤を含むパーマネント第２剤を塗布してジスルフィド結合を再結合するようにしたので、従来のパーマネントウエーブ処理方法で処理したウエーブ形状よりもウエーブ効率の良い（よりロッド径に近い）ウエーブが形成される。
【００１６】
また、前記湿潤状態の毛髪を加温する温度が６０℃以下とすることで、毛髪にダメージを与えることがなく、さらに、加温を蒸気またはミストとすることで、より毛髪を湿潤状態を維持したまま、効果的に毛髪の温度を上げることおよび水分量をコントロールすることができ、さらに、蒸気またはミストをロッド内を低負圧にして吸引することで、毛髪の根元から毛先まだの水分量と温度を均質化することができる。
【００１７】
また、湿潤状態で一定時間加温しながら放置した後に毛髪にダメージを与えない温度の温風によって乾燥させ、乾燥した毛髪に対して酸化剤を含むパーマネント第２剤を塗布して、ジスルフィド結合を再接合するようにし乾燥状態での形状を記憶させることで、乾燥時におけるウエーブ形状のダレが非常に小さくなり、かつ、ウエーブを長期間にわたって保持することができ、また、前記乾燥する工程が、ロッドに巻かれている毛髪に温風を吹き付けると共に、ロッド内を負圧状態として温風を吸引するようにすることで、乾燥時間を短くできて処理時間の短縮を図れる等の効果を有するものである。
【発明を実施するための最良の形態】
【００１８】
本発明は、毛髪をロッドに巻き付け、該巻き付けた毛髪に対して還元剤を含むパーマネント第１剤を塗布して毛髪を膨潤軟化させ、その後、膨潤軟化された毛髪に付着したパーマネント第１剤を洗い流し、または、パーマネント第１剤を中和する酸性の中間処理剤にてパーマネント第１剤の作用を止め、もしくは、前記両方を行い、湿潤状態の毛髪を加温しながら一定時間放置した後に、該加温状態の毛髪に酸化剤を含むパーマネント第２剤を塗布する。
【実施例１】
【００１９】
以下、本発明のパーマネントウエーブ処理を行うための処理装置の一実施例を図面と共に説明する。
本発明のパーマネントウエーブ処理装置は大きく分けて、ヒーターＨによって加温した温風を排出すると共に毛髪が巻かれたロッドＲから吸引した前記温風を吸引して再びヒーターＨによって加温する循環式ブロワ１と、該ブロワ１によって吸引した温風と水分やパーマネントウエーブ用の薬剤や異物を分離する汽水分離装置２と、外気を導入して前記ブロワ１よりの温風に混合して冷却する外気導入装置２４とが収容されたハウジング３とからなる本体Ａと、該ハウジング３の上部に取り外し可能で、かつ、２つに分離され開閉自在なフードＦとから構成されている。なお、図１においてＣは被施術者がパーマネントウエーブ処理を行う時に着座する椅子である。また、本体Ａにはキャスター３１が取付けられ移動自在となっている。
【００２０】
次に、本体Ａの詳細について説明するに、モータとファンとから構成されたブロワ１は、前記ハウジング３内の中央部に固定されており、ロッドＲ内を負圧状態とすることでロッドＲに巻かれている毛髪を介してフードＦ内の温風を吸引して下部に配置されている汽水分離装置２に供給し、該汽水分離装置２によって毛髪に巣組まれる水分等の液体や異物が除去された空気を吸引し、吸引した空気を上方に取付けられているヒーターＨに向かって排出し、該ヒーターＨによって所定の温度に加熱された空気をハウジング３に形成された吹出口３２からフードＦ内に戻す動作をするものである。
【００２１】
また、前記汽水分離装置２からヒーターＨを介して前記吹出口３２に温風を吹き出すための管路における吹出口３２に近い部分に吸引口２４ａに設けられ、かつ、該吸引口２４ａの近傍にファン２４ｂが取付けられた外気導入装置２４が一体的に取付けられている。また、外気導入装置２４におけるフードＦ内に外気を供給す吹出口は前記吹出口３２と同一となっている。そして、外気導入装置２４は前記汽水分離装置２からの温風と一緒に（この場合における外気導入装置２４のファン２４ｂはフードＦ内に取付けられている温度センサ１３ｂよりの出力で駆動する）、あるいは、ブロワ１から供給される温風とは関係なく外気のみをフードＦ内に供給する動作のみを行うことも可能である。なお、前記外気導入装置２４によって外気を取り入れるための外気取り入れ口３３が前記ハウジング３の側面に形成されている。
【００２２】
汽水分離装置２は前記ブロワ１の真下に位置し、吸引した空気に渦流を発生させ下方に排出する渦流発生器２１と、該渦流発生器２１の下側に着脱自在に取付けられブロワ１からの汽水に含まれている液体や異物を貯留するカップ２２と、該カップ２２内に抜き差し自在に収容され渦流内に含まれている液体や異物をカップ２２内に送り出すためのスリット２３ａを有する漏斗状の分離器２３とから構成されている。なお、前記汽水分離装置２におけるカップ２２はハウジング３の前方に開閉自在に取付けられた蓋３３を開放して外に取り出すことで、カップ２２内に滞留している液体を排出することができる。
【００２３】
前記カップ２２は前記渦流発生器２１に対して着脱自在に取付けられているが、その構造は図４〜図６に示す構造となっている。すなわち、渦流発生器２１にはカップ２２の鍔部２２ｂと係合される係合溝２１ａが形成され、また、渦流発生器２１の前記係合溝２１ａが形成されている反対側にはロック爪２１ｂが形成されている。一方、カップ２２の鍔部２２ｂには前記ロック爪２１ｂが通過する開口孔２２ｃが形成され、かつ、開口孔２２ｃを通過したロック爪２１ｂと係合されロック可能なハンドル２２ｄが回動自在に取付けられている。カップ２２は上方が円筒形状で、中間より下側における前記ハンドル２２ｃの回動方向と同じ方向の面には段部２２ｅが形成されている。また、前記ハウジング３の前記開口部には前記カップ２２の段部２２ｅの下面が載置される開口部側に向かって傾斜するガイドレール３５が形成されている。なお、２２ｆはカップ２２の把手である。
【００２４】
このように構成することで、カップ２２を渦流発生器２１に取付けるには、カップ２２をハウジング３の開口部のガイドレール３５にカップ２２の段部２２ｅを乗せた状態でスライドさせ奥側に差し込むと、カップ２２の鍔部２２ｂが渦流発生器２１の係合溝２１ａに係合された状態で停止する。この状態において、カップ２２の把手２２ｆを押し上げると、ロック爪２１ｂが鍔部２２ｂに形成されている開口孔２２ｃ内に入り込み先端が開口孔２２ｃを通過する。ここで、ハンドル２２ｄを回動することでハンドル２２ｄの上端とロック爪２２ｂが係合されロック状態となる。
【００２５】
前記ハウジング３の上面のフードＦを取付ける斜面には前記吹出口３２が取付けられ、この吹出口３２の左右にはロッドＲ内を負圧状態とするチューブ４が引き出される引出し部材５が取付けられている。チューブ４の先端にはロッドＲと脱着可能で、かつ、ロッドＲに対して回動自在な取付具４１が取付けられている。また、ロッドＲには外周面に多数の空気流通孔Ｒ１が形成されているので、チューブ４を接続具４１を介してロッドＲに接続し、チューブ４内を負圧状態とするとロッドＲ内も負圧状態となり、従って、ロッドＲに巻かれている毛髪の水分等の流体はチューブ４内に吸引され、かつ、フードＦ内を加温状態とすることで毛髪も加温され乾燥時間を早めることが可能となる。
【００２６】
前記チューブ４の引出し部材５は、チューブ４の径より大きな長孔５１ａが形成された固定台５１と、チューブ４より僅かに大きな丸孔５２ａが形成され、かつ、固定台５１に対してスライド可能な可動台５２とより構成され、チューブ４を引出したり収納したりする場合には図６に示すように、可動台５２の丸孔５２ａが固定台５１の長孔５１ａの中心に位置するようにスライドすることで容易に行え、また、チューブ４を固定状態とする場合には図７に示すように、可動台５２の丸孔５２ａが固定台５１の長孔５１ａの中心より外れた位置となるようにスライドすることでチューブ４は摩擦抵抗によって固定状態となる。
【００２７】
なお、引出し部材５の構造としては前記した実施例に限定されるものではなく、チューブ４の外周に対して密着したり、外周に対して隙間を作ることが可能な構造のものであれば全て含まれるものである。また、前記した固定台５１はチューブ４が比較的密の状態で嵌挿されている基台５３に固定されている。そして、この基台５３には後述する吸引パイプ６の上端が気密の状態で嵌合されるように構成されている。また、ロッドＲを装着しないチューブ４の接続具４１には図示しないキャップを嵌合して吸引時にロッドＲの吸引力が弱まらないようする必要がある。
【００２８】
前記引出し部材５から垂れ下がっているチューブ４が収納される吸引パイプ６は、合成樹脂等の材料でパイプ状に形成されており、一端が前記した引出し部材の基台５３に気密の状態で嵌合され、他端が前記した汽水分離装置２の渦流発生器２１の相対抗する側面に気密の状態で嵌合されている。そして、吸引パイプ６はハウジング３の側面に沿って配置される。従って、ブロワ１を駆動すると渦流発生器２１によって吸引パイプ６内は負圧状態となり、この負圧状態によりチューブ４内も負圧状態となり、ロッドＲ内は負圧となる。
【００２９】
なお、気密状態で引出し部材５と渦流発生気２１に嵌合されている吸引パイプ６を外すことで、吸引パイプ６はハウジング３から分離できるので、チューブ４を吸引パイプより抜き出すことが可能となり、チューブ４の洗浄を容易に行うことができる。
【００３０】
次に、フードＦの詳細を図１１〜図１４と共に説明する。
フードＦは略円弧状に形成された第１フード７と第２フード８および該第１、第２フードの頂角部において回動、かつ、締め付け可能に締め付ける締付部材９と、第２フード８のみをロック可能とするロック部材１０とから構成されている。そして、ハウジング３に対しては前記締付部材８とロック部材１０を介してハウジング３の受け凹部３４に嵌め込み、取り外し自在に取付けられている。なお、第１、第２フード７，８の形状は円弧状に限定されるものではなく、四角、六角形状等のような頭部を覆う形状であればどのような形状であってもよい。
【００３１】
そして、ハウジング３の受け凹部３４に取付けた状態において、第１フード７がハウジング３の上部開口縁部に密着状態で載置され、また、第２フード８の開口部には被施術者の額から襟部の頭部を覆う気密性の柔軟な覆い布８ａが取り外し可能に取付けられている。なお、第１フード７に対して第２フード８を重ねる方向に回動した時に、第２フード８が容易に開く方向に移動しないように、第２フード８の第１フード７の内面に形成されている突条（図示せず）と係合される止めバネ８ｂが取付けられている。
【００３２】
また、前記締付部材９は摘み９１を回転することで第１フード７と第２フード８を所望の角度位置で（例えば、図１４（ｂ）に示す第２フード８を第２フード８側に重ね、着座している被施術者の後頭部側からチューブ４をロッドＲに嵌合する作業が行い易い位置と、図１４（ｃ）に示す第２フード８を被施術者の顔側に位置させた状態において第１フード７を重ね、被施術者の前頭部側からチューブ４をロッドＲに嵌合する作業が行い易い位置）で固定することが可能であり、また、ロック部材１０は第１フード７に対して第２フード８を最大限に開いた状態（図１、図２）において、該第２フード８がロックされるようになっている。
【００３３】
次に、締付部材９の構造について図１１の断面図と共に説明する。
図１１において、９１は前記ハウジング３の受け凹部３４に対して着脱自在に装着可能な装着部材にして、中央部には雌ネジ９１ａが形成されている。９２は前記雌ネジ９１ａに螺合される雄ネジ９２ａが形成された円筒部９２ｂが形成されたネジ部材にして、先端には指操作によって回し易いように凹凸面が形成された操作摘み９２ｃが一体的に形成されている。そして、前記円筒部９２ｂには第１、第２フード７，８の頂角部に形成された孔７１，８１が軸支されている。
【００３４】
このように構成した締付部材９における装着部材９１の雌ネジ９１ａに対してネジ部材９２の雄ネジ９２を緩めると、第１、第２フード７，８相互の間隔が広くなるので、両者は回動可能となり、また、締め付けると装着部材９１とネジ部材９２との間が狭くなるので、第１、第２フード７，８は固定状態となる。従って、第１フード７と第２フード８との重なり角度および図１１に示すハウジング３に対する第１、第２フード７，８の回転角度を自由に設定することができる。
【００３５】
次に、ロック部材１０の構造について図１２、図１３と共に説明する。
図１２、図１３において、１０１は前記ハウジング３における前記締付部材９の装着部材９１が装着される受け凹部３４とは反対側に形成されている受け凹部３４に着脱自在に装着可能な装着部材、１０２は該装着部材１０１内に摺動可能（図１２において左右方向に摺動可能）に取付けられ、かつ、操作摘み１０２ａが一体的に形成された操作部材にして、前記操作摘み１０２ａ内にはスプリング１０３が収納されている。また、操作部材１０２には第２フード８の内面に形成された楔状の係合突起８ｃが係合される凹状の係合部１０２ｂが形成されている。なお、前記係合突起８ｃは第２フード８を図１、図２の施術位置に回動した時に前記係合部１０２ｂに係合される位置に形成されている。
【００３６】
１０４は前記装着部材１０１に取付けられたキャップにして、該キャップ１０４には前記第１、第２フード７，８の頂角部に形成された孔が回転自在に軸支される円筒部１０４ａが形成されると共に前記操作摘み１０２ａの先端が臨む摘み用孔１０４ｂが形成されている。そして、キャップ１０４の摘み用孔１０４ｂから露出している前記操作摘み１０２ａをスプリング１０３のバネ力に抗して押すと、図１３の如く第２フード８に形成されている係合突起８ｃが位置している場合には係合部１０２ｂに係合突起８ｃが係合され、従って、第２フード８はこの位置においてロック状態となって回動不能な状態となる。
【００３７】
このように構成したロック部材１０にあっては、パーマネントウエーブ処理を行える位置（図１、図２の状態）に第２フード８を回転する時には、操作摘み１０２ａをスプリング１０３のバネ力に抗して押しながら行う。そして、第２フード８の係合突起８ｃが係合部１０２ｂに達した位置において操作摘み１０２ａの押圧力を解除するとスプリング１０３のバネ力によって操作部材１０２は元の位置に戻って図１３に示すように係合部１０２ｂに係合突起８ｃが係合され、これにより、第２フード８の回転は阻止される。このように施術状態において第２フード８がロックされ動くことがないので、施術中の被施術者に安心感を与えることができる。
【００３８】
次に、前記したパーマネントウエーブ処理装置を使用して毛髪の処理を行うための制御装置について図１５〜図１７と共に説明する。
図１５は前記処理装置におけるハウジング３の頂部傾斜面に取付けられた操作盤１１の正面図、図１６は該操作盤１１の操作によって駆動する制御回路１３、図１７は該制御回路１３の動作を説明するためのフローチャートである。
【００３９】
先ず、操作盤１１について説明するに、全体が円盤状に形成され外周にリング状の操作部１１２が形成され、該操作部１１２の内側に表示部１１１が形成されている。そして、表示部１１１には施術時間を数字で表示する時間表示部１１１ａと、施術温度を発光ダイオードの切換えで表示する温度レベル表示部１１１ｂと、被施術者の毛髪に巻き付けるロッドＲの本数を発光ダイオードの切換えで表示するロッド数表示部１１１ｃと、被施術者の毛髪の量と毛髪のダメージとによって１〜９のレベル（枡目状の表示部分の発光ダイオードが点灯）で表示を行うモード表示部１１１ｄとから構成されている。
【００４０】
なお、前記温度レベル表示部１１１ｂにおける発光ダイオードは、青色発光ダイオード点灯のヒーター制御オフと、４５℃〜５５℃の温度表示を低い温度から順次青色１個、黄色２個、橙色２個、赤色２個の計７個が直線状に配置され、温度が高くなるにしたがって順次追加点灯されるようになっている。また、ロッド数表示部１１１ｃにおける発光ダイオードは、例えば、１〜９本を使用した場合に黄色発光ダイオード２個が点灯され、１０〜１７本を使用した場合に橙色発光ダイオード２個が点灯され、１８〜２６本を使用した場合に赤色発光ダイオード２個が点灯されるようになっている。なお、前記した説明ではロッド数を３段階で表示する場合について説明したが３段階に限定されるものではなく、また、各段階毎におけるロッド数も前記数に限定されるものではない。
【００４１】
次に、前記表示部１１１ａ〜１１１ｄの外周に配置されたスイッチ１１２ａ〜１１２ｈについて説明する。
１１２ａは時間補正用（後述する制御回路１３によって設定された施術時間を施術者等が経験則から訂正する）のスイッチにして、上向きの矢印が時間増加用スイッチ、下向きの矢印が時間減少用スイッチである。１１２ｂは前記した時間補正と同じく施術者が操作する温度補正のスイッチにして、上向きの矢印が温度上昇用スイッチ、下向きの矢印が温度低下用スイッチである。
【００４２】
１１２ｃは施術者の毛髪を巻き付けるロッドＲの本数を設定するためのロッド数設定スイッチにして、上向きの矢印が毛髪を巻いたロッド本数が多い場合に操作する多本数用スイッチ、下向きの矢印がロッド本数が少ない場合に操作する小本数用スイッチである。１１２ｄはロッドに巻き付けた毛髪の量を３段階（少ない、普通、多い）で操作するための毛髪量設定スイッチ、１１２ｅは毛髪のダメージレベルを３段階（低い、普通、高い）で操作するためのダメージ設定スイッチにして、前記毛髪量設定スイッチ１１２ｄとの操作回数で後述する制御回路１３のＲＯＭに記憶されている１〜９のレベルが自動的に設定される。
【００４３】
１１２ｆは後述する制御回路１３によって時間、温度およびレベルが自動設定された後に操作し、また、動作中におい操作すると停止するスタートスイッチ、１１２ｇはオン操作している時のみ風がフード内に送風すると共にロッド内を負圧状態とし、ロッドＲとチューブとを接続状態が完全な状態であるか、また、ロッドＲと接続していないチューブが開放状態となっていないかを音やブロワ１の電流を検出して確認するためのテスト用スイッチ、１１２ｈは作動音（送風を行いながら吸引を行った時に発生する音）を小さくするために出力を低下させるスイッチである。
【００４４】
次に、図１６の制御回路１３について説明する。なお、前記した操作盤１１の説明で使用した符号と同じ符号は同一部分を示し説明は省略する。
１３ａは回路全体の動作を行うためのＣＰＵ、１３ｂはフード内の所望個所に設置され、フード内の温度を検出するフード内温度検出用の温度センサ、１３ｃは温風を供給すると共に吸引を行うためのモータに過負荷が加わったことを検出し、および、本体に組み込まれた傾斜センサが動作して本体が転倒するような状態となった時やヒーターが異常温度となった時に電源をオフにするための安全スイッチである。
【００４５】
１３ｄは前記ロッド数設定スイッチ１２ｃ、毛髪量設定スイッチ１２ｄおよびダメージ設定スイッチ１２ｅを操作し入力することで、施術時間を何分にするかおよび施術温度を何度にするかのデータが記憶されたＲＯＭ、１３ｅは施術者が希望に応じて各種の設定を行ったことを記憶するＲＡＭ、１３ｆはヒーターの温度制御を行う、例えば、ヒーターへの通電をオン・オフ制御するためのリレー等のヒーター制御部、１３ｇは前記ＲＯＭ１３ｄによって設定された時間をスタートスイッチ１２ｆをオンしてから減算するタイマ、１３ｈは送風手段のオン・オフ制御や送風量の制御を行うためのブロア制御部、１３ｉは前記表示部１１１の点灯制御を行う制御部である。そして、これらのスイッチや制御部は前記ＣＰＵ１３ａに対して入出力バスを介して接続されている。
【００４６】
次に、前記した制御回路１２の動作を図１７のフローチャートに基づいて説明する。
先ず、毛髪にロッドＲを巻き付け、該巻き付けた毛髪に対して還元剤を含むパーマネント第１剤を塗布し、所定時間を放置して毛髪を膨潤軟化させる。毛髪が膨潤軟化した状態において毛髪に付着しているパーマネント第１剤を洗い流し、洗い流した毛髪をタオルで拭く。その後、本発明のパーマネントウエーブ処理装置のフードＦを開放した状態において処理装置の前に着座させ、ロッドＲに取付具４１を嵌合してロッドＲにチューブ４を接続する。また、ロッドＲが接続されていない取付具４１には封止部材を嵌合して空気漏れを防止した後、開放されているフードＦを閉じて被施術者の頭部を覆うと共に顔面側を覆い布８ａで密閉状態とする。なお、前記した説明にあっては、ロッドＲにチューブ４を接続した場合について説明したが、湿潤状態の毛髪を加温し一定時間放置する際に、より毛髪の湿潤状態を維持したままで毛髪を加温する場合は、チューブ４は必ずしもロッドＲに接続しなくともよい。この場合、チューブ４の口は開放された状態とする。
【００４７】
この状態において、図示しない主電源のスイッチをオン（ステップＳ１）にすると制御回路１３は駆動状態となる。そして、毛髪に巻き付けたロッドＲの本数をロッド数設定スイッチ１１２ｃを操作して入力する（ステップＳ２）。次いで、毛髪のダメージ状態をダメージ設定スイッチ１１２ｅを操作して入力し（ステップＳ３）、さらに、ロッドに巻き付けた毛髪の量が多いか否かを判断して毛髪量設定スイッチ１１２ｄを操作して入力する（ステップＳ４）。
【００４８】
上記３つの設定が終了すると、毛髪の処理時間、毛髪への雰囲気温度とブロアの出力強度のモードがＲＯＭ１３ｄに記憶されているデータから拾いだされ時間と温度が決定され（ステップＳ５）、時間表示部１１１ａと温度レベル表示部１１１ｂに表示される。この状態においてＣＰＵ１３ａはスタートスイッチ１１２ｆが操作されたか否かを監視し（ステップＳ６）、操作されたと判断するとタイマの減算が開始され（ステップＳ７）、かつ、ブロア１が弱駆動力で駆動を開始し温風の送風が開始される（ステップＳ８）。この送風が開始されるとチューブ４を介して吸引が行われるが、ブロア１が弱駆動力で駆動されているので、ロッドＲに巻かれている毛髪は温かい湿潤状態（温かい濡れた状態）で保持される。また、ロッドＲにチューブ４を接続していない場合は、ブロワ１を弱駆動よりも高めに駆動させ、ロッドＲに巻かれている毛髪を温かい湿潤状態（温かい濡れた状態）で保持することもできる。
【００４９】
また、前記ステップＳ８のブロア駆動と同時にフードＦ内に設置された温度センサ１２ｂがフードＦ内の温度を検出するが、スタートスイッチ１１２ｆをオンした時のフード内の温度は室内温度となっており低いため、ヒーター制御１３ｆが開始される（ステップＳ９）。そして、ヒーター制御が開始されフードＦ内が予め設定した温度（ＲＯＭによって決定された温度）となるように制御が開始される（ステップＳ１０）。ロッドＲにチューブ４を接続している場合、この送風が開始されるとチューブ４を介して吸引が行われるが、ブロア１が弱駆動力で駆動されているので、ロッドＲに巻かれている毛髪は濡れた状態で保持される。
【００５０】
この制御状態において何らかの原因によってフードＦ内の温度が前記設定した温度以上になったか否かを温度センサ１３ｂよりの出力によって監視し（ステップＳ１１）、設定した温度以上であると判断するとファン２４ｂを駆動（ステップＳ１２）して外気を取り込んで送風口３２より送風することで、ヒーターＨを介して送風される温風が混合され予め設定した温度となるように制御する。
【００５１】
前記した温度管理を行いながらＣＰＵ１３ａは前記設定された第１の時間に達したか否かを監視し（ステップＳ１３）、設定時間に達していないと判断するとステップＳ１０に戻って前記した制御を行い、また、設定時間に達したと判断すると一旦ブロワ１の駆動を停止する（ステップＳ１４）。この停止状態において、施術者がフードＦを上げて毛髪の状態を見る作業を行ったり、前記したロッドＲにチューブ４を接続していない場合には、チューブ４をロッドＲに接続する作業を行う。
【００５２】
前記した作業が終了したなら、施術者がスタートスイッチ１１２ｆをオン（ステップＳ１５）にすると、タイマが始動（ステップＳ１６）すると共にブロア１が強駆動力で駆動を開始され（ステップＳ１７）、かつ、ヒーターＨの制御が開始される（ステップＳ１８）。この状態にあっては、ブロワ１は強駆動力によって駆動していることにより、送風量も吸引力も強いので毛髪を通過する温風量が多く、従って、毛髪の乾燥が迅速に行われることとなる。また、前記乾燥状態においてフードＦ内の温度監視が行われ（ステップＳ１９）、この監視において予め設定した温度以上であるか否かを監視し（ステップＳ２０）、設定以上であると判断するとファン２４ｂを駆動（ステップＳ２１）して外気を取り込んで送風口３２より送風することで、ヒーターＨを介して送風される温風を混合され予め設定した温度となるように制御する。
【００５３】
次いで、第２のタイマ時間に達したか否かの監視が行われ（ステップＳ２２）、設定時間に達していないと判断するとステップＳ１６に戻って前記した制御を行い、第２のタイマ時間に達したと判断すると、スタンバイの状態となり（ステップＳ２３）、ステップＳ２に戻って、次の被施術者のパーマネントウエーブ処理の開始待ち状態となる。なお、前記した説明にあっては、第１のタイマ時間が経過すると弱駆動力によるブロワ１の駆動が停止した後、人的にスタートスイッチ１１２ｆをオンして次の工程に以降するようにしたが、ブロワ１の停止後に予め設定した時間（施術者が前記した作業が終了するであろう時間）の後に自動的にブロワ１が強駆動力で駆動するようにしてもよい。
【００５４】
次に、前記したフローチャートの作業が終了し毛髪の乾燥が終了したなら、その後に乾燥した毛髪に対して酸化剤を含むパーマネント第２剤を塗布して一定時間放置する。これにより、ジスルフィド結合が再結合されて乾燥状態での形状が記憶される。また、前記したステップＳ８において、ロッドＲにチューブ４を接続しない状態で弱い温風を毛髪に当てて、所要時間経過した後にチューブ４を接続して、その後にブロワ１を強駆動力で駆動して乾燥させてもよい。
【００５５】
なお、前記した実施例はロッドの本数、毛髪の量、毛髪のダメージ状態の３つの条件を入力することによりタイマ、温度、ブロワ出力が自動設定される場合について説明したが、被施術者が経験則等から前記３つの条件の内、１つまたは２の条件を入力することで前記タイマ、温度、ブロワ出力を決定したいような場合には、１つまたは２つの条件を入力した後に、図示しない決定スイッチを操作することで施術の開始が行われるようにしてもよい。この場合には、ＲＯＭ１３ｄには各入力条件でタイマ、温度、ブロワ出力を決定するためのソフトを作成する必要がある。
【実施例２】
【００５６】
前記した実施例では、ロッドＲが巻かれた毛髪に対して温風を供給し、湿潤状態の毛髪を加温しながら一定時間放置し、その後に温風を吸引することで毛髪を乾燥させて、処理を行う場合について説明したが、湿潤状態の毛髪を乾燥しながら一定時間放置するた際に、蒸気またはミストを当てて毛髪により多くの水分を保持させたまま（毛髪を乾燥させずに）処理する方法について説明する。蒸気を用いて加温することにより、湿潤状態の毛髪の水分量と温度をよりコントロールすることが可能となり失敗が少なく、よりウエーブ効率の高いパーマネントウエーブ処理が行える。
【００５７】
そこで、第２の実施例は前記した第１の実施例に加え毛髪に蒸気を与えるための蒸気発生装置を一体的に組み込んだものであって、図１８〜図２０と共に説明する。なお、第１の実施例と同一符号は同一部分を示し説明は省略する。
１４はハウジング３の側面に取付けられた公知の蒸気発生装置にして、タンク内の水をヒーターや超音波等によって加熱し蒸気を発生させ蒸気管１４ａを介してフードＦ内に供給する構造のものである。
【００５８】
前記蒸気発生装置４よりの蒸気を導出する蒸気管１４ａには水密状態で回転管１４ｂが接続され、この回転管１４ｂの先端はハウジング３の上部における前記吹出口３２の上方に達しており、該回転管１４ｂの先端には蒸気吹出管１４ｃが吹出口３２の上方において平行な状態で位置している。なお、１４ｄは蒸気吹出孔である。
【００５９】
この蒸気発生装置１４を組み込んだパーマネントウエーブ処理装置を利用してパーマネントウエーブ処理を行う作業工程について説明する。
前記した蒸気発生装置１４が組み込まれていないパーマネントウエーブ処理装置によるパーマネントウエーブ処理と異なる点は、毛髪に第１剤が塗布されている状態においてフードＦ内を温風による加温状態に変えて蒸気発生装置１４より蒸気をフードＦ内に供給して湿度と温度が高い状態とし、毛髪を加温することが可能となる。また、ブロワ１の駆動と組み合わせて、ゆっくりと蒸気を吸引してロッドＲに巻かれている毛髪と第１薬剤を十分に反応させることも可能となる。
【００６０】
次に、膨潤化された毛髪に付着している第１剤を洗い流し、もしくは、第１剤を中和する酸性の中間処理剤にて第１剤の作用を止め、あるいは、両方の作業を行った後、湿潤状態の毛髪を加温しながら一定時間放置する際に、蒸気で加温することにより、毛髪に含まれている水分が多い状態で毛髪の温度を上げることが可能となり、毛髪内部の分子が動き易い状態でロッドＲによって変形されている形状に分子が十分に移動することができる。さらに、蒸気またはミストをロッド内を負圧にして吸引することで、毛髪の根元から毛先までの水分量と温度を均質化することができる。その後に温風の供給と吸引による乾燥を行うことで、仕上がりにおいてよりロッド径に対して忠実なウエーブの形成が可能となる。その後の工程は前記した第１の実施例と同様に乾燥した毛髪に対して酸化剤を含むパーマネント第２剤を塗布して一定時間放置する工程であるので、詳細な説明は省略する。
【００６１】
この実施例においても、フードＦ内の温度が設定値を越えた温度を温度センサ１３ｂが検出すると、ＣＰＵ１３ａはファン２４ｂを駆動して外気を取り込み温度の上昇を抑えることができることは勿論のことである。
【００６２】
なお、第２の実施例では蒸気発生装置１４をハウジング３の外部に取付けたもので示したが、該蒸気発生装置１４はハウジング３内に組み込み、かつ、蒸気をフードＦ内に供給することが望ましい。
【００６３】
次に、本発明に係るパーマネントウエーブ処理方法の作業工程について説明する。
先ず、毛髪にロッドＲを巻き付け、巻き付けられた毛髪にパーマネントウエーブ用の還元剤である第１剤を塗布し、薬剤と毛髪が反応するまで放置して毛髪を膨潤軟化させ、該膨潤軟化された毛髪に付着している第１剤を洗い流し、もしくは、第１剤を中和する酸性の中間処理剤にて第１剤の作用を止め、あるいは、両方の作業を行う。それから、本発明のパーマネントウエーブ処理装置を被施術者の頭髪にセットする。この時、図１４の（ａ）に示すフードＦの第１フード７に対して第２フード８が重なった状態の導入状態となっている。
【００６４】
被施術者が着座したなら、図１１（ｂ）に示すように第２フード８を被施術者の頭部を覆う位置まで回動し、かつ、第１フード７を第２フード８側に重ねた状態となし締付部材９でロックして固定する。この状態において図１、図２に示すように第１、第２フード７，８を広げた状態として被施術者の頭部全体を覆う。これにより、第２フード８の止めバネ８ｂによって第１、第２フード７，８はロック状態となる。さらに、頭部と第２フード８の開口部との間に隙間が発生するので、被施術者の額部から首後ろ部に対して覆い布８ａで覆って外部と隔離した状態とする。
【００６５】
次いで、スタートスイッチ１１２ｆを操作して制御回路１３をオンの状態となし、かつ、操作盤１１のロッド数設定スイッチ１２ｃ、毛髪量設定スイッチ１２ｄおよびダメージ設定スイッチ１２ｅを操作することで、前記した制御回路１３の動作によって処理時間と処理温度とが設定され、ブロワ１が設定された温度の温風となるように制御され、フードＦ内は一定の温度雰囲気となり、この状態で毛髪は所定の温度（好ましい温度は６０度以下である）、かつ、時間（毛髪の固さや毛髪量等によって異なる）だけ温められ、さらに、高分子が移動し易くなる。なお、前記毛髪の加温はブロワ１よりの温風に限定されるものではなく、第２実施例で示した蒸気やミストによる加温でもよい。
【００６６】
そして、前記所定の時間が経過したなら、ブロワ１が一端停止し、加温が終了する。その後に、フード７，８を開放してチューブ４を引出し部材５より引き出して毛髪が巻かれているロッドＲに接続する。なお、ロッドＲが接続されていないチューブ４には取付具４１に対してキャップを嵌合して空気の吸引が行えないようにする。また、図１１（ｂ）に示す第１、第２フード７，８の状態では被施術者の前頭部の毛髪に巻かれているロッドＲへのチューブ４の接続が困難な場合には、フードＦをハウジング３から外して接続作業を行ってもよい。
【００６７】
そして、毛髪が巻かれているロッドＲに対するチューブ４の接続が終了したなら、前記したと同様に第１、第２フード７，８を広げた状態として被施術者の頭部全体を覆うと共に、頭部と第２フード８の開口部との間に隙間を覆い布８ａで覆って外部と隔離した状態とする。
【００６８】
次に、再度、施術者がスタートスイッチ１１２ｆをオンし、ブロワ１を駆動することでチューブ４内が負圧となりフード７，８内の加温状態を維持している温度の高い空気が吸引されロッドＲに巻かれている毛髪の乾燥は速やかに行われる。また、吸引された温風内に含まれる薬剤や異物を汽水分離装置２によって空気分離し、温風のみがブロワ１によって吸引されると共にヒーターＨを介してフードＦ内に供給される。なお、この時、フードＦ内の温度が設定値を越えた温度を温度センサ１３ｂが検出すると、ＣＰＵ１３ａはファン２４ｂを駆動して外気を取り込み温度の上昇を抑える。
【００６９】
そして、前記乾燥工程が終了したなら乾燥した毛髪に対して酸化剤を含むパーマネント第２剤を塗布し、ジスルフィド結合の再結合行わせて乾燥した時の毛髪の形状を記憶させる。そして、所望の時間が経過したなら毛髪を洗髪し、乾燥させてスタイリングを行うことで作業は終了する。
【００７０】
提案する処理方法の有効性を説明する。膨潤軟化された毛髪に付着している第１剤を洗い流し、もしくは、第１剤を中和する酸性の中間処理剤にて第１剤の作用を止め、あるいは、両方の作業を行った後に、毛髪を加温して一定時間放置後に、パーマネント第２剤を行うと、従来のコールドパーマと比べウエーブ効率が良くなる。
【００７１】
さらに、上記工程の毛髪を加温して一定時間放置した後に、乾燥工程を入れることで、乾燥した毛髪に対して酸化剤を含む第２剤の処理を行い、乾燥状態での形状を記憶させるため、最終のスタイリングを行った際、乾燥状態は濡れた状態と同じようにウエーブ形状が保たれる（乾燥時にダレが小さい）。このことは、図２２の毛髪Ｂ，Ｃ，Ｄは、毛髪Ａの結果に比べ濡れた状態および乾燥した状態でウエーブのダレが小さいことにより、その効果が確認された。
【００７２】
また、本発明の出願前に行った実験である毛髪Ｃにあっては、  乾燥させる前に、一定時間放置する際に、加温状態でなく室温環境にて放置しているので、薬剤を洗い流した後、乾燥に入る前の一定時間の放置をしていない毛髪Ｂの結果よりウエーブ効率は良好ではあるが、その効果の差は小さいものである。
【００７３】
しかし、本発明の処理方法によって得られた毛髪Ｄの結果は、薬剤を洗い流した後、一定時間放置する際に毛髪の湿潤状態を維持しながら加温処理を行っているため、ウエーブ効率が大幅にアップしており、最も良いウエーブ効果を示している。また、今回の比較結果は、同じ第１剤の処理時間も同じにし薬剤を洗い流した後、一定時間放置する際の処理方法の違いを比較する結果を示したが、この結果が示すとおり従来のパーマネント処理方法よりも大幅にウエーブ効率がアップするので、従来よりも第１剤の処理時間を短くし、薬剤を洗い流した後に湿潤状態の毛髪を加温し一定時間放置することで、薬剤による毛髪内部の構造変化を極力押え、高いウエーブ効率を達成できるパーマネントウエーブを実現することができる。
【００７４】
次に、ウエーブの計算方法について説明するに、第２剤を塗布した後の洗髪状態の濡れた状態は、図２２（ａ）の濡れた状態から図２２（ｂ）（ｃ）の乾燥した状態とを用いてウエーブ効率を算出した。ウエーブ効率の計算方法は、図２３に示すように、ウエーブの中心部からウエーブの高さＸをウエーブの中心から次のウエーブまでの長さＹで割ったものである。その結果を図２４に示す。
【図面の簡単な説明】
【００７５】
【図１】本発明のパーマネントウエーブ処理装置の側面図である。
【図２】同上の縦断面図である。
【図３】要部の背面図である。
【図４】汽水分離装置におけるハウジング内に取付けられている渦流発生器にカップを装着した状態の正面図である。
【図５】同上の断面図である。
【図６】カップを渦流発生器から外す途中の状態を示す断面図である。
【図７】図１の一部を断面した側面図である。
【図８】フードを開放した実施例の斜視図である。
【図９】チューブの引出しが可能な状態を示した引出し部材の断面図である。
【図１０】同上のチューブの引出しが不能な状態を示した引出し部材の断面図である。
【図１１】第１、第２フードを一体化するための締付部材の断面図である。
【図１２】第２フードをロックするためのロック部材の断面図である。
【図１３】同上のＡ−Ａ線断面図である。
【図１４】第１、第２フードの開閉状態を示す側面図であり、（ａ）は導入時の状態を示し、（ｂ）は後頭部のロッドとチューブとを接続する時の状態を示し、（ｃ）は前頭部のロッドとチューブとを接続する時の状態を示す。
【図１５】操作盤の正面図である。
【図１６】制御回路の回路ブロック図である。
【図１７】同上の制御回路の動作を示すフローチャートである。
【図１８】同上のフローチャートの続きを示すフローチャートである。
【図１９】第２実施例の側面図である。
【図２０】同上の要部を示す背面図である。
【図２１】蒸気をフード内に噴出する部分の正面図である。
【図２２】本発明の処理方法と従来例の処理方法によってパーマネントウエーブを施した写真であり、（ａ）は濡れた状態、（ｂ）乾燥した状態、（ｃ）は（ｂ）の毛束の向きを変えた写真である。
【図２３】ウエーブ効率の算出方法を説明するための線図である。
【図２４】ウエーブ効率の比較結果を示すグラフである。
【符号の説明】
【００７６】
１          ブロワ
２          汽水分離装置
２４        外気導入装置
２４ｂ      ファン
３          ハウジング
４          チューブ
５          引出し部材
６          吸引パイプ
Ｆ          フード
Ｈ          ヒーター
Ｒ          ロッド
【図１】
2008093050.tif 000003
【図４】
2008093050.tif 000004
【図５】
2008093050.tif 000005
【図６】
2008093050.tif 000006
【図７】
2008093050.tif 000007
【図９】
2008093050.tif 000008
【図１０】
2008093050.tif 000009
【図１１】
2008093050.tif 000010
【図１２】
2008093050.tif 000011
【図１３】
2008093050.tif 000012
【図１４】
2008093050.tif 000013
【図１５】
2008093050.tif 000014
【図１６】
2008093050.tif 000015
【図１７】
2008093050.tif 000016
【図１８】
2008093050.tif 000017
【図１９】
2008093050.tif 000018
【図２０】
2008093050.tif 000019
【図２１】
2008093050.tif 000020
【図２３】
2008093050.tif 000021
【図２４】
2008093050.tif 000022
【図２】
2008093050.tif 000023
【図３】
2008093050.tif 000024
【図８】
2008093050.tif 000025
【図２２】
2008093050.tif 000026